(57)【特許請求の範囲】
【請求項１】
不燃性シートと，該不燃性シートの周囲を囲む枠体とを含み，該枠体に該不燃性シートが張られて固定されてなる防煙垂壁用パネルであって，
（ａ）該枠体は，連結された複数の枠部材を含んでなり，
（ｂ）該枠部材の連結は，隣り合う枠部材の端部が，少なくとも一方の枠部材の端面で他方の枠部材の端部に接した状態で，共に連結部材に固定されることによってなされており，
（ｃ）該他方の枠部材の端部に端面で接している枠部材の該連結部材への固定が，該連結部材に備えられた長穴であってその長軸方向が該枠部材の長手方向と一致しているものである長穴を通して，該枠部材の端部にボルトを螺着することによってなされており，
（ｄ）該連結部材が，該長穴を通して螺着されたボルトによりこれに固定されている該枠部材の該端面の縁に面した予備穴を備えているものである，
（ｅ）防煙垂壁用パネル。
【請求項２】
（ｂ）において，該枠部材の連結が，隣り合う枠部材の端部が，一方の枠部材の長手軸に垂直な端面で他方の枠部材の端部の側面に接した状態で，共に連結部材に固定されることによってなされているものである，請求項１の防煙垂壁用パネル。
【請求項３】
（ｂ）において，隣り合う枠部材の端部が各々，該連結部材の表面に垂直且つ枠部材の長手方向に対し傾斜した面をなす端面を有しており，該枠部材の連結が，隣り合う枠部材の端部がそれらの端面同士で接した状態で，共に連結部材に固定されることによってなされているものである，請求項１の防煙垂壁用パネル。
【請求項４】
（ｂ）において，隣り合う枠部材の各端部が各々枠部材の長手軸に垂直な端面を有しており，該連結部材が，各枠部材の端面と接する支持面を備え，該枠部材の連結が，隣り合う枠部材の端部が，其々の端面において該枠部材の該支持面と接した状態で，共に連結部材に固定されることによってなされているものである，請求項１の防煙垂壁用パネル。
【発明の詳細な説明】
【技術分野】
【０００１】
本発明は，防煙垂壁用のパネルに関し，より詳しくは，柔軟性の不燃性シートを用いた防煙垂壁用パネルに関する。
【背景技術】
【０００２】
ビル等の一定以上の床面積を有する建築物には、建築基準法により，防煙区画を構成する防煙垂壁の設置が義務づけられている。防煙垂壁は，火災時に発生する煙から人が避難するための時間的猶予を与えるためのものである。従来一般的な防煙垂壁は、多数のガラス板を天井から所定の高さまで下ろしたものを連ねることによって構成されている。それらは多くの場合，天井裏の梁等の支持構造物に取り付けられた上側フレーム部材の下側にある細長い開口にガラス板の上縁を挿入し、ガラス板の下縁両端の角部を，上側フレーム部材から下げられた吊り金具の受け部に載せる等の方法で，取り付けられていた。このようなタイプの防煙垂壁は，力学的にあまり安定でないものが多く，一部のガラス板の角部が受け部から外れて落下すると，隣接のガラス板がその反動で同じ状態となって次々と連鎖的に落下し，防煙垂壁全体の崩落に至るという事態を引き起こし易い。その上，ガラス板はこれを支える構造体が歪んだ場合，応力を受けて割れ易い。このため，従来の防煙垂壁の大半は地震に弱く，ある程度の強さの地震が起こった場合，ガラス板の割れや破片の落下，あるいは崩落を起こし，頭上から落下してくるガラス板や床面等に衝突して飛散するガラス片による怪我等の重大な身体的危険や避難上の障害となり，また地震後の収束後は，大量に散乱したガラス片が，速やかな復旧作業を妨げるという問題があった。
【０００３】
このため，ガラス板に較べてはるかに軽く柔軟なシートを用いた防煙垂壁も一部において用いられている。防煙垂壁に用いられるシートとしては，基材としてのガラスクロスに，合成樹脂（例えば，ジアリルフタレート樹脂や不飽和ポリエステル樹脂）を含浸させ，あるいは更に樹脂にケイ酸その他の無機充填剤を含ませた，不燃性シートが知られている。防煙垂壁に一部用いられているそのような樹脂含浸ガラスシートは，柔軟であるため地震等により破損するおそれはないが，これを用いて防煙垂壁を構築する場合，特有の問題がある。すなわち，それらのシートは，薄く柔軟であるため，容易に撓む。このため，シートをそのまま天井から単に垂らすわけには行かず，例えば，シート毎にその縁部を取り囲んで押さえる枠体に取り付け，パネルの形態にする必要がある。しかしながら，その場合にシートの縁部を枠体に単に嵌めて固定するだけでは，シートに弛みが残り，外観上，商品価値が著しく損なわれる。この問題の解消を目的として，枠体に可動部分や変形可能部分を設けておき，シートの縁部をそのような部分に固定した後，調節ねじ等による当該部分の移動によって枠体内のシートを引張し，シートに張力をかけて弛みを除去することが行われている（例えば，特許文献１参照）。
【０００４】
しかしながら，枠体にそのような特別の可動部を設けることは，枠体の構造を複雑化させ，部品点数も増加させて，枠体の製造コストを上昇させる。また，製造に際して，パネル毎に，調節ねじ等を回して可動部の位置を調節しシートにかかる張力を調節する作業は，人手を要し，このため，そのようなパネルの大量生産は困難である。これらの原因により，樹脂含浸ガラス繊維シートによる防煙垂壁用パネルは従来のガラス板によるものに比して非常に価格の高いものとなっている。その結果，防煙垂壁において樹脂含浸シートタイプのものの採用は低迷しており，現在でも大半の防煙垂壁ではガラス板が採用されている。また上述のように従来のシートタイプの防煙垂壁用パネルは大量生産が困難なため，地震等で大量の需要が発生した場合，速やかな対応が困難である。従って，より簡単で低コストな，大量生産に適した構造のパネルに対する潜在的需要がある。
【先行技術文献】
【特許文献】
【０００５】
【特許文献１】特開２００６−３３５７７５号公報
【発明の概要】
【発明が解決しようとする課題】
【０００６】
上記背景において，本発明者は先に，シートタイプの防煙垂壁用パネルの製造方法であって，製造コストの大幅引き下げと大量生産を容易にする方法，及びそのような方法よって製造できるシートタイプの防煙垂壁用パネルを提案している（特願２０１１−１２８８３８：本願出願時において未公開）。当該防煙垂壁用パネルは，枠体の枠内を覆うことのできる寸法のシートに張力を掛けて弛みなく張った状態とし，これに枠体を押し当てて（但し，枠体とシート接触面の一方又は両方に接着手段を事前に適用しておく）接着させることで枠体とシートをと結合させた上，枠体に機械的固定手段（ボルト，リベット等）でより確実に固定することにより製造される。この製造方法によれば，特殊な構造部品が不要であり，極めて効率的且つ低コストで，シートタイプの防煙垂壁用パネルを量産することが可能である。
【０００７】
しかしながら，そのようにして製造した防煙垂壁用パネルにおいて，製造後に何らかの原因でシートに僅かな弛みが生じた場合，表面の反射むらが目につくことになり観上好ましくない。従って，シートに多少の緩みが生じた場合でも，弛みを取り除きシートの張りを回復できるようにしておくことが望ましい。
【０００８】
このような背景において，本発明は，シートタイプの防煙垂壁用パネルであって，製造後，使用までの間に又はまたは長期の使用中に，シートに多少の弛みが生じた場合でも，張りを簡単に回復できるようにした簡単な構造の防煙垂壁用パネルを提供することを目的とする。
【課題を解決するための手段】
【０００９】
本発明者は，上記未公開のシートタイプの防煙垂壁用パネルに特定の特徴的構造を加えるだけで，上記目的が簡単に達成できることを見出した。すなわち本発明は，以下の防煙垂壁用パネルを提供する。
【００１０】
１．不燃性シートと，該不燃性シートの周囲を囲む枠体とを含み，該枠体に該不燃性シートが張られて固定されてなる防煙垂壁用パネルであって，
（ａ）該枠体は，連結された複数の枠部材を含んでなり，
（ｂ）該枠部材の連結は，隣り合う枠部材の端部が，少なくとも一方の枠部材の端面で他方の枠部材の端部に接した状態で，共に連結部材に固定されることによってなされており，
（ｃ）該他方の枠部材の端部に端面で接している枠部材の該連結部材への固定が，該連結部材に備えられた長穴であってその長軸方向が該枠部材の長手方向と一致しているものである長穴を通して，該枠部材の端部にボルトを螺着することによってなされており，
（ｄ）該連結部材が，該長穴を通して螺着されたボルトによりこれに固定されている該枠部材の該端面の縁に面した予備穴を備えているものである，
（ｅ）防煙垂壁用パネル。
２．（ｂ）において，該枠部材の連結が，隣り合う枠部材の端部が，一方の枠部材の長手軸に垂直な端面で他方の枠部材の端部の側面に接した状態で，共に連結部材に固定されることによってなされているものである，上記１の防煙垂壁用パネル。
３．（ｂ）において，隣り合う枠部材の端部が各々，該連結部材の表面に垂直且つ枠部材の長手方向に対し傾斜した面をなす端面を有しており，該枠部材の連結が，隣り合う枠部材の端部がそれらの端面同士で接した状態で，共に連結部材に固定されることによってなされているものである，上記１の防煙垂壁用パネル。
４．（ｂ）において，隣り合う枠部材の各端部が各々枠部材の長手軸に垂直な端面を有しており，該連結部材が，各枠部材の端面と接する支持面を備え，該枠部材の連結が，隣り合う枠部材の端部が，其々の端面において該枠部材の該支持面と接した状態で，共に連結部材に固定されることによってなされているものである，上記１の防煙垂壁用パネル。
【発明の効果】
【００１１】
本発明によれば，製造後使用前の間に又は長期間の使用中に，防煙垂壁用パネルの不燃性シートに弛みが生じた場合，連結部材の長穴を通して螺着されたボルトを僅かに緩め，連結部材の予備穴を通して枠部材の端面とこれに接している他の枠部材の端部又は連結部材の支持面との間にそれらの間隔を押し広げるのに適した形状のスペーサー（短いねじ，釘，楔或いは円錐状や角錐状等の小部材）をねじ込み又は打ち込むことで，それらの間隔を押し広げ枠体のサイズを極めて簡単に増加させることができ，それにより，枠体に張られたシートの弛みを取り除くことができる。次いで長穴のボルトを締め直せば，シートに弛みの無い防煙垂壁用パネルの復元を完了することができる。また，本発明の防煙垂壁用パネルは，パネルサイズを拡大してシートの弛みを取り除く機構が極めて単純で，従来のような特殊な部品を要さず，製造コストの面でも優れている。
【図面の簡単な説明】
【００１２】
【図１】図１は，実施例１の防煙垂壁用パネルの正面図である。
【図２】図２は，実施例１の防煙垂壁用パネルの裏面図である。
【図３】図３は，実施例１における連結部材の正面図である。
【図４】図４は，実施例１の防煙垂壁用パネルの連結部材付近の正面側拡大図である。
【図５】図５は，実施例１の防煙垂壁用パネルの連結部材付近の裏面側拡大図である。
【図６】図６は，実施例１の防煙垂壁用パネルの連結部材付近の側面側拡大図である。
【図７】図７は，実施例２の防煙垂壁用パネルの連結部材付近の正面側拡大図である。
【図８】図８は，実施例２の防煙垂壁用パネルの連結部材付近の裏面側拡大図である。
【図９】図９は，実施例２における連結部材の正面図である。
【図１０】図１０は，実施例３の防煙垂壁用パネルの連結部材付近の正面側拡大図である。
【図１１】図１１は，実施例３の防煙垂壁用パネルの連結部材付近の裏面側拡大図である。
【図１２】図１２は，実施例３における連結部材の（ａ）平面図及び（ｂ）裏面図である。
【発明を実施するための形態】
【００１３】
本発明において「枠体」は，通常，形状が長方形（正方形を包含）であるシートの縁部を保持するための枠組であり，シートの縁部を全周に沿って保持する，全体として概略長方形の形状とすればよい。また例えば長方形の枠体は，平面的なものに限らず，一方向に湾曲していてもよい。枠体を形成する素材としては，シートを張った状態で安定に保持できる強さと長期間の使用に耐える耐久性があればよく，それ以外には特に限定されない。そのような素材の例として，アルミニウム，アルミニウム合金その他の金属や，各種の不燃性樹脂（各種の有機／無機充填材を含有するものを含む）が挙げられる。
【００１４】
本発明において使用される不燃性シートとしては，防煙垂壁としての用途に適合する不燃性シートであればよい。そのようなシートの一例として，樹脂含浸ガラス繊維シートが知られている。樹脂含浸ガラスシートは複数のものが市販されており，例えば，ガラス繊維から作った織布（ガラスクロス）に合成樹脂（ジアリルフタレート樹脂又は不飽和ポリエステル樹脂等）を含浸させ，あるいは更に含浸樹脂にケイ酸その他の無機充填剤を含ませてある，国土交通大臣認定の不燃性シートが販売されており（合成樹脂含浸ガラスクロス，認定番号ＮＭ−２８２０，株式会社トッパン・コスモ製），本発明において好適に用いることができるものの一つである。
【００１５】
本発明の防煙垂壁用パネルは，枠体の枠内に重ねることのできる寸法のシートに張力を掛けて弛みなく張った状態とし，そのままこれに枠体を押し当てて両者を接着手段及び／又は機械的固定手段で固定することにより製造される。
【００１６】
「接着手段」としては，例えば，感圧性接着手段が用いられる。「感圧性接着」は，常温で短時間圧力を加えるだけで接着する性能をいい，これには例えば両面テープを好適に用いることができる。例えば，枠体の片面（又はシート片面若しくは両面）に両面テープを貼ったものを予め必要数準備しておくことができ，パネルの組み立て時，引張して弛みを解消させたシートに枠体を押し当てる前に剥離紙を剥がして接着剤層を露出させ，これを枠体ごとシートに押し当てることで，引張されて弛みが解消したシートをそのままの状態で枠体に結合させることができる。勿論，両面テープその他の接着テープに用いられているのと同様の感圧性接着材適宜の接着剤を，枠体に塗布する等により使用することも可能である。なお，接着手段は，枠体のシートに触れる側の面の全体に備えられている必要はなく，必要とする接着強度が得られる限り，枠体のそれぞれの辺に対応する（枠体及び／又はシートの）領域に部分的（例えば２〜３箇所等）に設けておけば足りる。また感圧性接着剤以外のタイプの，シートと枠体の素材に適合した任意の接着剤を用いることができる。
【００１７】
「機械的固定手段」としては，枠体とシートとを物理的機構により固定できるものであること以外に特に限定はなく，例えば，ボルトとナット，リベット，カシメ，ノックピン，ハトメ等と，これらに対応させて枠体にあけた穴（ねじ溝の有るもの又は無いもの）が挙げられる。
【００１８】
本発明において，枠体は，複数の「枠部材」を用いて構成されており，枠部材は，通常，概略長方形の形状をした枠体の四辺に対応する部材である。それらの枠部材は，互いの突き合わせる部分である端部において連結部材に其々が固定されることによって，相互に連結される。
【００１９】
本発明において，枠部材の端部は，隣の枠部材の端部（又は連結部材に備えられた支持面）と接するように構成される。ここに，「接する」の語は，部材材間に直接にそれらの間隔を押し広げるのに適した形状のスペーサー（短いねじ，釘，楔，あるいは円錐状や角錐状等の小部材）をねじ込み又は打ち込むことで間隔を押し広げることができる程度に両者の間隔が狭いものである限り，両者が直接触れ合っておらず僅かな隙間を持っている場合も排除しない。
【００２０】
枠部材の端部は，枠部材の長手軸に対して垂直な端面を有していてもよく，長手軸に対し傾斜した端面を有していてもよい。後者の場合，当該枠部材の端部と連結されるものである隣り合う枠部材の端部も当該枠部材の長手軸に対して傾斜した端面を有するものとし，双方を斜面同士で接するように配置する。そのように配置される限り，傾斜の角度に特段の限定はないが，両端面が重なり合う形状となる傾斜角度（従って，例えば，両方の枠部材の幅が同一の場合，４５°）とすることが好ましい。
【００２１】
枠部材が端面において連結部材の「支持面」と接するように枠体を構成する場合，支持面は，枠部材の端面との間にスペーサーをねじ込み又は打ち込んで，それにより枠部材を支持面から離れる方向へ押し遣って枠体のサイズを増加させてシートを引き，弛みを取り除くためのものであるから，引かれるシートが生ずる抗力に耐える強度がある限り，具体的形状，構造は問わない。例えば，連結部材に固定して設けられた直方体状の部材の２面であっても，連結部材の面から立ち上がる２箇所の壁面であってもよい。
【００２２】
連結部材の予備穴は，その下に位置する枠部材の端面とこれに接する他の部材の面との間にスペーサーをねじ込み又は打ち込むことで両者の間隔を押し広げ，それにより連結部材に対して枠部材を長手軸方向にずらすためのものであるから，その寸法は，押し広げ可能な最大寸法範囲の設定に応じて決定すればよい。間隔を押し広げる程度は，用いるスペーサーのサイズにより調節できる。スペーサーの素材に特段の限定はないが，一般的には，ねじやボルトの製造に用いられる種々の金属であってよい。また，予備穴の形状に特段の限定はない。
【００２３】
予備穴にスペーサーがねじ込まれ又は打ち込まれたとき，連結部材の長穴は，これを通して枠部材に螺着されているボルトが幾分緩めてある限り，枠部材と共に枠部材の長手軸方向にずれることを許容し，それにより枠体のサイズの拡張を許容する。従って，長穴の長軸の寸法は，中に通されるボルトに求める可動範囲に応じて決定すればよい。
【実施例】
【００２４】
以下，実施例を参照して本発明を更に具体的に説明するが，本発明がそれらの実施例に限定されることは意図しない。
【００２５】
〔実施例１〕
図１は，実施例１の防煙垂壁用パネル１の正面図である。図において，３ａ，３ｂ，３ｃ及び３ｄは，アルミニウム製の枠部材であり，５ａ，５ｂ，５ｃ及び５ｄは，ステンレス鋼製の連結部材，７は不燃性シートである。これらの連結部材は，枠部材の前面にボルトで固定されて，枠部材と共に枠体を構成している。図２は，同じ防煙垂壁用パネル１の裏面図である。図における上下の枠部材３ａ及び３ｃは，枠体の両端まで延びており，これに対し左右の枠部材３ｂ及び３ｄは，それらの枠材の長手軸に対し垂直な端面で上下の枠体３ａ及び３ｃの側面に当接して終わっている。
【００２６】
図３は連結部材５ａの正面図である。図において，９は予備穴であり，１１は長穴，１３は他のボルト穴である。図４は，防煙垂壁用パネル１の連結部材５ａ付近の正面側拡大図であり，図５は裏面側の拡大図である。図４及び５に見られるように，枠部材３ａは，連結部材５ａの裏面側を枠体の端まで延びているが，これに対し，枠部材３ｂの末端は，その端面１８が枠部材３ａの側面に当接して終わっている。長穴１１及び他のボルト穴１３を通して，ボルト１５及び１６が其々枠部材３ｂ及び３ａに螺着され，それにより枠部材３ａ，３ｂ及び連結部材５ａは一体化している。予備穴９にはボルトが通されておらず，予備穴９の下には，枠部材３ｂの端面１８（及びこれに接する枠部材３ａの側面）の縁が露出している。長穴１１に通されているボルト１５は，緩めたときは，長穴内で図面下方へずれることができる（図５，矢印）。図６は，実施例１における枠部材５ａ付近の側面拡大図である。
【００２７】
製造後，防煙垂壁用パネル１の不燃性シート７に弛みが生じた場合，ボルト１５を僅かに緩めた状態で予備穴９内に見えている枠部材３ｂの端面１８の縁にねじを押しつけねじ込むことにより，端面１８と枠部材３ａの側面との間に間隔が生じ（又は広がり），その分だけ枠部材３ｂは，下方へずれる（相対的に，枠部材３ａが連結部材５ａと共に上方へずれる）。その結果，そのずれに相当する距離だけ枠体の寸法が増加し，枠部材に張られている不燃性シート７が引かれる。他の連結部材においても必要に応じて同様に調整を行うことによって，不燃性シートの弛みは取り除かれる。弛みが取り除かれた状態で長穴内のボルトを締め直すことにより，不燃性シートは弛み無く張られた状態に維持される。
【００２８】
〔実施例２〕
実施例２の防煙垂壁用パネルは，枠部材の端部の形状及び連結部材の形状及び機能に置いて実施例１のものと相違する。図７及び８は，本実施例の防煙垂壁用パネル２１の連結部材２５ａの付近の正面側及び裏面側からの拡大図であり，図９は，連結部材２５ａの正面図である。本実施例では，枠部材２３ａ及び２３ｂは，其々端面２４ａ及び２４ｂが枠部材の長手軸に対し垂直でなく約４５°だけ傾斜しており，端面同士は重ね合わされている。これらの端面の縁は，連結部材２５ａの予備穴２９内に露出している。連結部材２５ａにおいて，枠部材を固定するためのボルトを通す穴は，全て長穴３１，３２であり，ボルト３５，３６は，それらの長穴を通して枠部材２３ａ又は２３ｂに螺着されている。
【００２９】
製造後，防煙垂壁用パネル２１の不燃性シート２７に弛みが生じた場合，枠部材２３ａ，２３ｂを連結部材２５ａに固定しているボルト３５，３６を僅かに緩め，予備穴２９内に見えている枠部材２３ａ，２３ｂの端面２４ａ，２４ｂの縁に円錐状等の短いスペーサーを打ち込むことにより，これらの端面同士に間隔が生じ（又は広がり），その分だけ枠部材２３ａ及び２３ｂは，図７において其々右方及び下方へずれる（相対的に，枠部材２３ａが枠部材２３ｂに対し右上方へ，また枠部材２４ｂが枠部材２３ａに対し左下方へずれる）。その結果，それらのずれに相当する距離だけ枠体の寸法が増加し，枠部材に張られている不燃性シート２７が引かれる。他の連結部材に関しても同様に必要に応じて調整を行うことによって，不燃性シートの弛みは取り除かれる。その状態で長穴内のボルトを締め直すことにより，不燃性シートは弛み無く張られた状態に維持される。なお，上記のようにボルト３５及び３６の双方でなく一方のみを緩めた状態で，予備穴２９にスペーサーを打ち込んだ場合は，ボルトを緩めた側の枠部材のみが連結部材に対してずれ，不燃性シート２７を引く方向を一方向に限定することができる。
【００３０】
〔実施例３〕
実施例３の防煙垂壁用パネル４１は，隣り合う枠部材の端部の位置関係及び連結部材の形状において，実施例１のものと相違する。図１０及び１１は，本実施例の防煙垂壁用パネルの連結部材４５ａの付近の正面側及び裏面側からの拡大図であり，図１２は，連結部材４５ａの平面図（ａ）及び裏面図（ｂ）である。本実施例では，枠部材４３ａ及び４３ｂは，其々の長手軸に対して垂直な端面４４ａ及び４４ｂが，枠部材により提供される２つの支持面５０ａ，５０ｂに接している。支持面５０ａ，５０ｂは，連結部材４５ａの裏面側にボルト５３により取り付けられた直方体のブロック５４の２つの側面である。枠部材の端面の縁（及び接している支持面の縁）は，連結部材４５ａの予備穴４８，４９内に露出している。連結部材４５ａにおいて，枠部材４３ａ，４３ｂを固定するためのボルト５５，５６を通す穴は，全て長穴５１，５２であり，ボルト５５，５６は，それらの長穴を通して枠部材４３ａ，４３ｂに其々螺着されている。
【００３１】
製造後，防煙垂壁用パネル４１の不燃性シート４７に弛みが生じた場合，枠部材４３ａ，４３ｂを連結部材４５ａに固定しているボルト５５，５６を僅かに緩め，予備穴４８，４９内に見えている枠部材４３ａの端面と支持面５０ａの間，枠部材４３ｂの端面４４ｂと支持面５０ｂの間に角錐状等の短いスペーサーを打ち込むことにより，これらに間隔が生じ（又は広がり），その分だけ枠部材４３ａ及び４３ｂは，図１０において其々右方及び下方へずれる（相対的に，枠部材４３ａが枠部材４３ｂに対し右上方へ，また枠部材４４ｂが枠部材４３ａに対し左下方へずれる）。その結果，それらのずれに相当する距離だけ枠体の寸法が増加し，枠部材の間に張られている不燃性シート４７が引かれる。他の連結部材に関しても同様に必要に応じて調整を行うことによって，不燃性シートの弛みは取り除かれる。その状態で長穴内のボルトを締め直すことにより，不燃性シートは弛み無く張られた状態に維持される。なお，ボルト５５及び５６の双方でなく一方のみを緩めた状態で，対応する側の予備穴にスペーサーを打ち込んだ場合は，ボルトを緩めた側の枠部材のみが連結部材に対してずれ，不燃性シート４７引く方向を一方向に限定することができる。
【産業上の利用可能性】
【００３２】
本発明は，シートタイプの防煙垂壁用パネルを，シートに弛みが生じたとき取り除くことのできる機能を備えたものとして，コスト増を伴うことなく提供することを可能にする点で，有用である。
【符号の説明】
【００３３】
１＝防煙垂壁用パネル
３ａ，３ｂ，３ｃ，３ｄ＝枠部材
５ａ，５ｂ，５ｃ，５ｄ＝連結部材
７＝不燃性シート
９＝予備穴
１１＝長穴
１３＝他のボルト穴
１５，１６＝ボルト
１８＝端面
２１＝防煙垂壁用パネル
２３ａ，２３ｂ＝枠部材
２４ａ，２４ｂ＝端面
２５ａ＝連結部材
２７＝不燃性シート
２９＝予備穴
３１，３２＝長穴
３５，３６＝ボルト
４１＝防煙垂壁用パネル
４３ａ，４３ｂ＝枠部材
４４ａ，４４ｂ＝端面
４５ａ＝連結部材
５０ａ，５０ｂ＝支持面
５１，５２＝長穴
５３＝ボルト
５４＝ブロック
５５，５６＝ボルト
【図１】
0005824781.tif 000002
【図２】
0005824781.tif 000003
【図３】
0005824781.tif 000004
【図４】
0005824781.tif 000005
【図５】
0005824781.tif 000006
【図６】
0005824781.tif 000007
【図７】
0005824781.tif 000008
【図８】
0005824781.tif 000009
【図９】
0005824781.tif 000010
【図１０】
0005824781.tif 000011
【図１１】
0005824781.tif 000012
【図１２】
0005824781.tif 000013